(57)【特許請求の範囲】
【請求項１】
物体側から像側に順に、実質的に、正の屈折力を有する第１レンズ群と、負の屈折力を有する第２レンズ群と、正の屈折力を有する第３レンズ群と、正の屈折力を有する第４レンズ群と、からなり、
広角端から望遠端への変倍に際して、
前記第１レンズ群と前記第２レンズ群との間の距離は広がり、
前記第２レンズ群と前記第３レンズ群との間の距離は狭まり、
前記第３レンズ群と前記第４レンズ群との間の距離は変化し、
以下の条件式（１）、（３）、（４）、（５）、（７）、（１０）を満足することを特徴とするズームレンズ。
０．２５  ＜  ｜ｆ１２Ｗ｜／ｆ４  ＜  ０．３４    （１）
０．３５    ＜  ｆ３／ｆ４  ＜    ０．４５      （３）
４  ＜  ｆ４／ｆｗ  ＜  ５  （４）
０．１＜ｄ３Ａ／Σｄ３＜０．３          （５）
０．８＜  Ｒ１ｉｍｇ／Ｒ２ｏｂｊ＜１．２        （７）
１．２  ＜  ｆ１／ｆ４  ＜  １．４    （１０）
ただし、
ｆ１２Ｗは、広角端における前記第１レンズ群と前記第２レンズ群との合成系の焦点距離、
ｆ１は、前記第１レンズ群の焦点距離、
ｆ３は、前記第３レンズ群の焦点距離、
ｆ４は、前記第４レンズ群の焦点距離、
ｆｗは、広角端におけるズームレンズ全系の焦点距離、
ｄ３Ａは、前記第３レンズ群中の軸上空間距離の最大値、
Σｄ３は、前記第３レンズ群の光軸上での厚み
Ｒ１ｉｍｇは、前記第１レンズ群の最も像側の屈折面の曲率半径、
Ｒ２ｏｂｊは、前記第２レンズ群の最も物体側の屈折面の曲率半径、
である。
【請求項２】
物体側から像側に順に、実質的に、正の屈折力を有する第１レンズ群と、負の屈折力を有する第２レンズ群と、正の屈折力を有する第３レンズ群と、正の屈折力を有する第４レンズ群と、からなり、
広角端から望遠端への変倍に際して、
前記第１レンズ群と前記第２レンズ群との間の距離は広がり、
前記第２レンズ群と前記第３レンズ群との間の距離は狭まり、
前記第３レンズ群と前記第４レンズ群との間の距離は変化し、
前記第３レンズ群は、物体側から順に、物体側に凸面を向けた正メニスカスレンズと、物体側に凸面を向けた負メニスカスレンズと物体側に凸面を向けた正レンズからなる接合レンズからなり、
以下の条件式（１）を満足することを特徴とするズームレンズ。
０．２５  ＜  ｜ｆ１２Ｗ｜／ｆ４  ＜  ０．３４    （１）
ただし、
ｆ１２Ｗは、広角端における前記第１レンズ群と前記第２レンズ群との合成系の焦点距離、
ｆ４は、前記第４レンズ群の焦点距離
である。
【請求項３】
物体側から像側に順に、実質的に、正の屈折力を有する第１レンズ群と、負の屈折力を有する第２レンズ群と、正の屈折力を有する第３レンズ群と、正の屈折力を有する第４レンズ群と、からなり、
広角端から望遠端への変倍に際して、
前記第１レンズ群と前記第２レンズ群との間の距離は広がり、
前記第２レンズ群と前記第３レンズ群との間の距離は狭まり、
前記第３レンズ群と前記第４レンズ群との間の距離は変化し、
前記第３レンズ群は、物体側から順に、物体側に凸面を向けた正メニスカスレンズと、物体側に凸面を向けた負メニスカスレンズと物体側に凸面を向けた正レンズからなる接合レンズからなり、
以下の条件式（１）、（３）、（４）、（５）を満足することを特徴とするズームレンズ。
０．２５  ＜  ｜ｆ１２Ｗ｜／ｆ４  ＜  ０．３４    （１）
０．３５    ＜  ｆ３／ｆ４  ＜    ０．４５      （３）
４  ＜  ｆ４／ｆｗ  ＜  ５  （４）
０．１＜ｄ３Ａ／Σｄ３＜０．３          （５）
ただし、
ｆ１２Ｗは、広角端における前記第１レンズ群と前記第２レンズ群との合成系の焦点距離、
ｆ３は、前記第３レンズ群の焦点距離、
ｆ４は、前記第４レンズ群の焦点距離、
ｆｗは、広角端におけるズームレンズ全系の焦点距離、
ｄ３Ａは、前記第３レンズ群中の軸上空間距離の最大値、
Σｄ３は、前記第３レンズ群の光軸上での厚み
である。
【請求項４】
以下の条件式（２）を満足することを特徴とする請求項１から３のいずれか１項に記載のズームレンズ。
０．２  ＜  ｜ｆ２｜／ｆ４  ＜  ０．２５            （２）
ただし、
ｆ２は、前記第２レンズ群の焦点距離、
である。
【請求項５】
以下の条件式（３）を満足することを特徴とする請求項１から４のいずれか１項に記載のズームレンズ。
０．３５    ＜  ｆ３／ｆ４  ＜    ０．４５      （３）
ただし、
ｆ３は、前記第３レンズ群の焦点距離
である。
【請求項６】
以下の条件式（４）を満足することを特徴とする請求項１から５のいずれか１項に記載のズームレンズ。
４  ＜  ｆ４／ｆｗ  ＜  ５  （４）
ただし、
ｆ４は、前記第４レンズ群の焦点距離、
ｆｗは、広角端におけるズームレンズ全系の焦点距離
である。
【請求項７】
前記第４レンズ群がフォーカシング時に光軸方向に移動することを特徴とする請求項６に記載のズームレンズ。
【請求項８】
前記第３レンズ群が光軸から離れるほど正の屈折力が弱くなる形状の非球面を持つレンズを有することを特徴とする請求項５に記載のズームレンズ。
【請求項９】
前記第２レンズ群が光軸から離れるほど負の屈折力が弱くなる形状の非球面を持つ非球面レンズを有することを特徴とする請求項１から８のいずれか１項に記載のズームレンズ。
【請求項１０】
前記非球面レンズは両面非球面レンズであることを特徴とする請求項９に記載のズームレンズ。
【請求項１１】
前記非球面レンズが以下の条件式（Ａ）を満足する負レンズであることを特徴とする請求項９または１０に記載のズームレンズ。
ＡＳＰ１  −  ＡＳＰ２  ＞  ０  （Ａ）
ただし、
ＡＳＰ１は、広角端にてその非球面レンズの物体側面上での最大像高に到る主光線の通過位置での非球面偏倚量、
ＡＳＰ２は、広角端にてその非球面レンズの像側面上での最大像高に到る主光線の通過位置での非球面偏倚量である。
【請求項１２】
前記第１レンズ群は、物体側から順に、物体側に凸面を向けた負メニスカスレンズと物体側に凸面を向けた正メニスカスレンズからなる接合レンズと、物体側に凸面を向けた正メニスカスレンズからなることを特徴とする請求項１から１１のいずれか１項に記載のズームレンズ。
【請求項１３】
前記第２レンズ群は、物体側から順に、物体側に凸面を向けた負メニスカスレンズと、両凹負レンズと、正レンズからなることを特徴とする請求項１から１２のいずれか１項に記載のズームレンズ。
【請求項１４】
前記第３レンズ群は、物体側から順に、物体側に凸面を向けた正メニスカスレンズと、物体側に凸面を向けた負メニスカスレンズと物体側に凸面を向けた正レンズからなる接合レンズからなることを特徴とする請求項１、２、４から１３のいずれか１項に記載のズームレンズ。
【請求項１５】
前記第３レンズ群が以下の条件式（Ｂ）を満足することを特徴とする請求項３または１４に記載のズームレンズ。
−１．５  ＜（Ｒｃ＋Ｒ３ｉｍｇ）／（Ｒｃ−Ｒ３ｉｍｇ）＜  −１  （Ｂ）
ただし、
Ｒｃは、前記第３レンズ群中の前記接合レンズにおける接合面の近軸曲率半径、
Ｒ３ｉｍｇは、前記第３レンズ群中の最も像側の屈折面の近軸曲率半径
である。
【請求項１６】
前記第４レンズ群は、１枚の正レンズからなることを特徴とする請求項１から１５のいずれか１項に記載のズームレンズ。
【請求項１７】
広角端から望遠端への変倍に際して、
前記第１レンズ群は広角端での位置に対して望遠端にて物体側に位置するように移動し、
前記第２レンズ群は物体側へ移動した後像側へ移動する軌跡を含んで移動し、
前記第３レンズ群は広角端での位置に対して望遠端にて物体側へ位置するように移動し、
前記第４レンズ群は像側へ移動した後物体側へ移動し、更にその後像側へ移動する軌跡を含んで移動することを特徴とする請求項１から１６のいずれか１項に記載のズームレンズ。
【請求項１８】
前記第３レンズ群が以下の条件式（５）を満足することを特徴とする請求項１から１７のいずれか１項に記載のズームレンズ。
０．１＜ｄ３Ａ／Σｄ３＜０．３          （５）
ただし、
ｄ３Ａは、前記第３レンズ群中の軸上空間距離の最大値、
Σｄ３は、前記第３レンズ群の光軸上での厚み
である。
【請求項１９】
前記第３レンズ群中の前記接合レンズにおける接合面が以下の条件式（６）、（Ｃ）を満足することを特徴とする請求項３または１４に記載のズームレンズ。
０．０７  ＜Ｒｃ／ｆｔ＜  ０．１      （６）
−３５  ＜ν３２−ν３３＜  −２５  （Ｃ）
ただし、
Ｒｃは、前記第３レンズ群中の前記接合レンズにおける接合面の曲率半径、
ｆｔは、望遠端におけるズームレンズ全系の焦点距離、
ν３２は、前記第３レンズ群中の前記接合レンズにおける負メニスカスレンズのアッベ数、
ν３３は、前記第３レンズ群中の前記接合レンズにおける正レンズのアッベ数
である。
【請求項２０】
前記第２レンズ群が以下の条件式（７）、（Ｄ）を満足することを特徴とする請求項１から１９のいずれか１項に記載のズームレンズ。
０．８＜  Ｒ１ｉｍｇ／Ｒ２ｏｂｊ＜１．２        （７）
０．０５＜  Ｄ１２／ＩＨ  ＜  ０．１５        （Ｄ）
ただし、
Ｒ１ｉｍｇは、前記第１レンズ群の最も像側の屈折面の曲率半径、
Ｒ２ｏｂｊは、前記第２レンズ群の最も物体側の屈折面の曲率半径、
Ｄ１２は、広角端における前記第１レンズ群と前記第２レンズ群の光軸上での空気間隔、
ＩＨは、前記ズームレンズによる撮像面上での像高
である。
【請求項２１】
前記ズームレンズの光路中に材質がポリオレフィンの光量低減部材を配置したことを特徴とする請求項１から２０のいずれか１項に記載のズームレンズ。
【請求項２２】
前記ズームレンズは沈胴収納可能であり、前記第３レンズ群は前記沈胴収納の際に他のレンズの光軸に対して偏心移動し収納されることを特徴とする請求項１から２１のいずれか１項に記載のズームレンズ。
【請求項２３】
請求項１から２２のいずれかに記載のズームレンズと、
前記ズームレンズによる像を受光し電気信号に変換する撮像面を持つ撮像素子とを有し、
前記ズームレンズは、未使用時には沈胴可能であり、
前記ズームレンズ中の少なくとも２枚のレンズが以下の条件式（８）を満足することを特徴とする撮像装置。
０．０１＜ｄ／ＩＨ＜０．１    （８）
ただし、
ｄは、前記少なくとも２枚のレンズのそれぞれの光軸上での厚さ、
ＩＨは、前記ズームレンズによる前記撮像面上での像高
である。
【請求項２４】
前記条件式（８）を満足する前記少なくとも２枚のレンズのうち、何れか２つのレンズは負レンズであることを特徴とする請求項２３に記載の撮像装置。
【請求項２５】
前記２つの負レンズが前記ズームレンズ中の前記第２レンズ群に含まれ且つ前記第２レンズ群中に正レンズが配置されることを特徴とする請求項２４に記載の撮像装置。
【請求項２６】
前記第２レンズ群中の前記２つの負レンズのうち一方が第１の負レンズ、他方が第２の負レンズであり、
以下の条件式（９）を満足することを特徴とする請求項２５に記載の撮像装置。
１．７＜  （ｎｄＬＮ１＋ｎｄＬＮ２＋ｎｄＬＰ１）／３＜２．２    （９）
ただし、
ｎｄＬＮ１は、前記第２レンズ群中の前記第１の負レンズのｄ線での屈折率、
ｎｄＬＮ２は、前記第２レンズ群中の前記第２の負レンズのｄ線での屈折率、
ｎｄＬＰ１は、前記第２レンズ群中の前記正レンズのｄ線での屈折率
である。
【請求項２７】
以下の条件式（１０）を満足することを特徴とする請求項２から２２のいずれか１項に記載のズームレンズ。
１．２  ＜  ｆ１／ｆ４  ＜  １．４    （１０）
ただし、
ｆ１は、前記第１レンズ群の焦点距離、
ｆ４は、前記第４レンズ群の焦点距離
である。
【発明の詳細な説明】
【技術分野】
【０００１】
この発明は、変倍比と広角端画角を確保しやすいズームレンズに関するものである。これに加えて、そのようなズームレンズを備えた撮像装置に関するものである。
【背景技術】
【０００２】
従来より、物体側から順に、正の屈折力の第１レンズ群、負の屈折力の第２レンズ群、正の屈折力の第３レンズ群、正の屈折力の第４レンズ群を有し、それぞれのレンズ群の間の距離を変化させてズーミングを行うズームレンズが知られている。（特許文献１、２）
このようなタイプのズームレンズは第２レンズ群と第３レンズ群の双方にて増倍作用を行うため、高変倍比化の達成に有利となる。
【先行技術文献】
【特許文献】
【０００３】
【特許文献１】特開２００７−２１２５３７号公報
【特許文献２】特開平８−１７９２１４号公報
【発明の概要】
【発明が解決しようとする課題】
【０００４】
しかしながら、昨今のズームレンズへの要望として、高変倍比を確保しつつも広角端での広画角化や小型化による携帯性の向上が求められている。
【０００５】
本発明は高変倍比を確保しつつも広角端での広画角化や小型化による携帯性の向上に有利なズームレンズを提供することを目的とするものである。
【０００６】
更には、そのようなズームレンズを備えた撮像装置を提供することを目的とするものである。
【課題を解決するための手段】
【０００７】
上述の課題を解決するために、本発明のズームレンズ、もしくは、撮像装置は以下のいずれかとするものである。
【０００８】
本発明のズームレンズは、物体側から像側に順に、正の屈折力を有する第１レンズ群と、負の屈折力を有する第２レンズ群と、正の屈折力を有する第３レンズ群と、正の屈折力を有する第４レンズ群とを有し、広角端から望遠端への変倍に際して、第１レンズ群と第２レンズ群との間の距離は広がり、第２レンズ群と第３レンズ群との間の距離は狭まり、第３レンズ群と第４レンズ群との間の距離は変化する。
そして、以下の条件式（１）を満足すると共に、以下の（Ｉ）、（ＩＩ）、（ＩＩＩ）のいずれか１つを備えることを特徴とする。
０．２５  ＜  ｜ｆ１２Ｗ｜／ｆ４  ＜  ０．３４    （１）
ただし、
ｆ１２Ｗは、広角端における第１レンズ群と第２レンズ群との合成系の焦点距離、
ｆ４は、第４レンズ群の焦点距離
である。
（Ｉ）後述の（３）、（４）、（５）、（７）、（１０）を満足する。（ＩＩ）第３レンズ群は、物体側から順に、物体側に凸面を向けた正メニスカスレンズと、物体側に凸面を向けた負メニスカスレンズと物体側に凸面を向けた正レンズからなる接合レンズからなる。（ＩＩＩ）第３レンズ群は、物体側から順に、物体側に凸面を向けた正メニスカスレンズと、物体側に凸面を向けた負メニスカスレンズと物体側に凸面を向けた正レンズからなる接合レンズからなり、後述の（３）、（４）、（５）を満足する。
【０００９】
上述の構成とすることで、第２レンズ群での変倍負担と第３レンズ群での変倍負担の分担を行いやすくなり変倍比の確保に有利となる。
条件式（１）は、第４レンズ群の焦点距離に対する広角端における第１レンズ群と第２レンズ群との好ましい合成焦点距離を特定するものである。
上限を上回らないように広角端での第１、第２レンズ群の合成系の負の屈折力を確保することで広角端での画角の確保と全長の短縮化に有利となる。加えて、ズーミングのために移動するレンズ群の移動量を抑えやすくなり、沈胴時の小型化につながる。
下限を下回らないように合成系の屈折力を適度に抑えることで広角側での歪曲収差の低減に有利となる。
【００１０】
なお、ズームレンズがフォーカシング機能を有する場合は、上述の構成は、最も遠距離に合焦した状態での構成とする。以降に示す各構成も同様である。
【００１１】
上述の発明にて以下の事項の何れかひとつ、更には複数を同時に満足することがより好ましい。
【００１２】
以下の条件式（２）を満足することが好ましい。
０．２  ＜  ｜ｆ２｜／ｆ４  ＜  ０．２５            （２）
ただし、
ｆ２は、第２レンズ群の焦点距離、
である。
【００１３】
条件式（２）は第４レンズ群の焦点距離に対する第２レンズ群の好ましい焦点距離を特定するものである。
上限を上回らないように負の屈折力を確保することで広角端でのズームレンズ全長の短縮化に有利となる。加えて、ズーミングのために移動するレンズ群の移動量を抑えやすくなり、沈胴時の小型化につながる。
下限を下回らないように負の屈折力を適度に抑えることで広角側での歪曲収差の低減に有利となる。
【００１４】
以下の条件式（３）を満足することが好ましい。
０．３５    ＜  ｆ３／ｆ４  ＜    ０．４５      （３）
ただし、
ｆ３は、第３レンズ群の焦点距離
である。
【００１５】
条件式（３）は第４レンズ群に対する第３レンズ群の好ましい焦点距離を特定するものである。
上限を上回らないように第３レンズ群の正の屈折力を確保することで、ズーミングのために移動するレンズ群の移動量を抑えやすくなり、ズームレンズの沈胴時の小型化につながる。
下限を下回らないように正の屈折力を適度に抑えることで球面収差等の低減に有利となる。
【００１６】
以下の条件式（４）を満足することが好ましい。
４  ＜  ｆ４／ｆｗ  ＜  ５  （４）
ただし、
ｆ４は、第４レンズ群の焦点距離、
ｆｗは、広角端におけるズームレンズ全系の焦点距離
である。
【００１７】
条件式（４）は第４レンズ群の好ましい屈折力を特定するものである。
上限を上回らないように第４レンズ群の正の屈折力を確保することで、射出瞳を像面から遠ざける機能を十分に確保でき、画質の向上につながる。
下限を下回らないように正の屈折力を適度に抑えることで像面湾曲を抑えやすくなる。
【００１８】
第４レンズ群がフォーカシング時に光軸方向に移動することが好ましい。
【００１９】
第４レンズ群が、前述の条件式（４）を満足することでフォーカシング時の第４レンズ群の移動量に対する像面位置の変化量を適切にし易くなり、フォーカシング制御に有利となる。
【００２０】
前記第３レンズ群が光軸から離れるほど正の屈折力が弱くなる形状の非球面を持つレンズを有することが好ましい。
【００２１】
第３レンズ群は正の屈折力が強くなりやすく、球面収差が発生しやすいレンズ群である。
上述の形状の非球面を設けることで、球面収差の低減に有利となる。
【００２２】
第２レンズ群が光軸から離れるほど負の屈折力が弱くなる形状の非球面を持つ非球面レンズを有することが好ましい。
【００２３】
第２レンズ群は光学系の小型化に伴い負の屈折力が強くなりやすく、広角側での像面湾曲が発生しやすいレンズ群である。
上述の形状の非球面を設けることで、広角側での像面湾曲の低減に有利となる。
加えて、第２レンズ群の屈折力を強めた際に発生し易い望遠端付近での正方向の球面収差を低減しやすくなる。
【００２４】
さらには、その非球面レンズは両面非球面レンズであることがより好ましい。
【００２５】
収差の低減やコバの間隔の自由度を十分に確保でき、高性能化に有利となる。
【００２６】
また、その非球面レンズが以下の条件式（Ａ）を満足する負レンズであることがより好ましい。
ＡＳＰ１  −  ＡＳＰ２  ＞  ０  （Ａ）
ただし、
ＡＳＰ１は、広角端にてその非球面レンズの物体側面上での最大像高に到る主光線の通過位置での非球面偏倚量、
ＡＳＰ２は、広角端にてその非球面レンズの像側面上での最大像高に到る主光線の通過位置での非球面偏倚量である。
【００２７】
条件式（Ａ）は、非球面レンズを負レンズとしたときの好ましい非球面形状を特定するものである。
光軸付近から軸外に向かって負レンズの屈折力が非球面作用によって弱くなるための条件式である。非球面形状の条件式（Ａ）を満足することで広角端での像面湾曲、望遠端での球面収差の低減に有利となる。
なお、非球面偏倚量は該当する非球面の面頂と同じ位置を面頂とし非球面の近軸曲率半径を曲率半径とする参照球面に対する光軸方向に測った差である。像側への偏倚はプラス符号である。
【００２８】
第１レンズ群は、物体側から順に、物体側に凸面を向けた負メニスカスレンズと物体側に凸面を向けた正メニスカスレンズからなる接合レンズと、物体側に凸面を向けた正メニスカスレンズからなることが好ましい。
【００２９】
第１レンズ群における球面収差、コマ収差等の補正を行い易くなる。
【００３０】
第２レンズ群は、物体側から順に、物体側に凸面を向けた負メニスカスレンズと、両凹負レンズと、正レンズからなることが好ましい。
【００３１】
第２レンズ群での負の屈折力を十分に確保しつつ、小型化と光学性能の両立に有利となる。更には、両凹負レンズを前述の非球面レンズとすることが好ましい。
【００３２】
第３レンズ群は、物体側から順に、物体側に凸面を向けた正メニスカスレンズと、物体側に凸面を向けた負メニスカスレンズと物体側に凸面を向けた正レンズからなる接合レンズからなることが好ましい。
【００３３】
第３レンズ群中にて、物体側の正レンズをメニスカスレンズにて構成し、接合レンズの物体側を凸面とすることで第３レンズ群の主点を物体側に配置でき、第３レンズ群の変倍機能の確保と像面湾曲、コマ収差の低減に有利となる。
【００３４】
更には、第３レンズ群が以下の条件式（Ｂ）を満足することが好ましい。
−１．５  ＜（Ｒｃ＋Ｒ３ｉｍｇ）／（Ｒｃ−Ｒ３ｉｍｇ）＜  −１  （Ｂ）
ただし、
Ｒｃは、第３レンズ群中の接合レンズにおける接合面の近軸曲率半径、
Ｒ３ｉｍｇは、第３レンズ群中の最も像側の屈折面の近軸曲率半径
である。
【００３５】
条件式（Ｂ）の下限を下回らないようにすることで、接合面の屈折力の過剰を抑え、組み立て時の接合レンズや第３レンズ群全体の偏心による光学性能の劣化を抑えやすくなる。
条件式（Ｂ）の上限を上回らないようにすることで、色収差と像面湾曲を低減するのに十分な屈折力を接合面で得やすくなる。
【００３６】
第４レンズ群は、１枚の正レンズからなることが好ましい。
【００３７】
コストを抑えつつも第４レンズによる射出瞳を遠ざける機能を確保できる。
【００３８】
広角端から望遠端への変倍に際して、第１レンズ群は広角端での位置に対して望遠端にて物体側に位置するように移動し、第２レンズ群は物体側へ移動した後像側へ移動する軌跡を含んで移動し、第３レンズ群は広角端での位置に対して望遠端にて物体側へ位置するように移動し、第４レンズ群は像側へ移動した後物体側へ移動し、更にその後像側へ移動する軌跡を含んで移動することが好ましい。
【００３９】
ズーミングにおける中間状態から望遠端にかけての像面湾曲の変動の補正に有利となる。
また、ズーミングにおける中間状態でのＦナンバーの急な変動（明るさの低下）を抑えやすくなる。
【００４０】
第３レンズ群が以下の条件式（５）を満足することが好ましい。
０．１＜ｄ３Ａ／Σｄ３＜０．３          （５）
ただし、
ｄ３Ａは、第３レンズ群中の軸上空間距離の最大値、
Σｄ３は、第３レンズ群の光軸上での厚み
である。
【００４１】
条件式（５）は、第３レンズ群の小型化のために好ましい条件式である。
下限を下回らないように空気間隔距離を確保することで、媒質で満たされる場合に比べて空気換算長を長くでき、小型化を実現すると共に、両レンズ間の空気レンズの収差への影響を小さくすることで偏心や間隔のずれによる性能劣化を低減できる。
上限を上回らないようにすることで、第３レンズ群光軸方向でのサイズの増大を抑えつつレンズの厚みを確保でき、部品の生産性の確保につながる。
【００４２】
また、第３レンズ群中の前述した接合レンズにおける接合面が以下の条件式（６）、（Ｃ）を満足することがより好ましい。
０．０７  ＜Ｒｃ／ｆｔ＜  ０．１      （６）
−３５  ＜ν３２−ν３３＜  −２５  （Ｃ）
ただし、
Ｒｃは、第３レンズ群中の接合レンズにおける接合面の曲率半径、
ｆｔは、望遠端におけるズームレンズ全系の焦点距離
ν３２は、第３レンズ群中の接合レンズにおける負メニスカスレンズのアッベ数
ν３３は、第３レンズ群中の接合レンズにおける正レンズのアッベ数
である。
【００４３】
条件式（６）は、軸上の色収差とコマ収差の補正の両立に有利とするために好ましい条件式である。
下限を下回らないようにすることで接合面を構成する２つのレンズの加工を容易にできる。
上限を上回らないようにすることで望遠端での軸上の色収差やコマ収差の補正に有利となる。
条件式（Ｃ）は、ズーミング時の軸上の色収差を良好に補正するために好ましい条件式である。
下限を下回らないようにすることで望遠端での軸上の色収差を良好に補正できる。
上限を上回らないようにすることで中間状態での軸上の色収差を良好に補正できる。
【００４４】
第２レンズ群が以下の条件式（７）を満足することが好ましい。
０．８＜  Ｒ１ｉｍｇ／Ｒ２ｏｂｊ＜１．２        （７）
０．０５＜  Ｄ１２／ＩＨ  ＜  ０．１５        （Ｄ）
ただし、
Ｒ１ｉｍｇは、第１レンズ群の最も像側の屈折面の曲率半径、
Ｒ２ｏｂｊは、第２レンズ群の最も物体側の屈折面の曲率半径、
Ｄ１２は、広角端における第１レンズ群と第２レンズ群の光軸上での空気間隔、
ＩＨは、ズームレンズによる撮像面上での像高
である。
【００４５】
条件式（７）を満足することで、第１レンズ群と第２レンズ群の向かい合う双方の屈折面の曲率を近づけることで広角端にて第１、第２レンズ群を近づけられ、第１レンズ群での光線高を小さくしやすく小型化に有利となる。
下限値を下回らないようにして広角端で第２レンズ群を第１レンズ群に近づけやすくしつつ、上限値を上回らないようにして第１レンズの有効径を抑えることが小型化の上で好ましい。
条件式（Ｄ）の下限値を下回らないようにすることで第１レンズ群と第２レンズ群の距離が近づきすぎることを防ぎ、製造ばらつきや衝撃による変形等でそれぞれのレンズ群が衝突しないようスペースを確保できる。
上限値を上回らないようにすることで第１レンズ群の射出面と第２レンズ群入射面の間で光線高を近づけられ、第１レンズ群の有効径の小型化に有利となる。
【００４６】
条件式（Ｅ）を満足することが好ましい。
６．５＜ｆｔ／ｆｗ＜２０．０      （Ｅ）
ただし、
ｆｔは、広角端におけるズームレンズ全系の焦点距離、
ｆｗは、広角端におけるズームレンズ全系の焦点距離
である。
上述のズームレンズは変倍比を確保しえる構成となっている。そのため、下限を下回らないように変倍比を確保することが好ましい。
上限を上回らないようにして、各レンズ群の屈折力を抑えつつ各レンズ群の移動量を低減でき、沈胴時のレンズ鏡筒の小型化に有利となる。
【００４７】
ズームレンズの光路中に挿入退避が可能であり、材質がポリオレフィンの光量低減部材を配置することが好ましい。
光量低減部材の持つリタデーション作用の小さい素材を使用することで、複屈折による解像劣化防止となる。
【００４８】
ズームレンズは沈胴収納可能であり、第３レンズ群は前記沈胴収納の際に他のレンズの光軸に対して偏心移動し収納されることが好ましい。
沈胴時のいっそうの小型化に有利となる。
【００４９】
また、昨今のズームレンズへの要望として、沈胴時の小型化による携帯性の向上が求められている。
第２の側面の本発明は、ズームレンズを有する撮像装置であって、ズームレンズの小型化に有利であり、携帯性の向上に有利な撮像装置を提供することを目的とするものである。
【００５０】
本発明の第２の側面における撮像装置は、複数のレンズ群を有し、各レンズ群の相互の距離が変化してズーミングを行うズームレンズと、ズームレンズによる像を受光し電気信号に変換する撮像面を持つ撮像素子とを有している。
そして、ズームレンズは、未使用時には沈胴可能であり、ズームレンズ中の少なくとも２枚のレンズが以下の条件式（８）を満足することを特徴とするものである。
０．０１＜ｄ／ＩＨ＜０．１    （８）
ただし、
ｄは、少なくとも２枚のレンズのそれぞれの光軸上での厚さ、
ＩＨは、ズームレンズによる撮像面上での像高
である。
【００５１】
条件式（８）の上限を上回らないようにして、レンズの軸上での厚さを小さくすることにより沈胴収納時の小型化につながる。
下限を下回らないようにしてレンズの軸上での厚みを確保しておくことがレンズの剛性を確保する上で好ましい。
このようなレンズを複数用いることで、沈胴時の小型化に有利となり、撮像装置の携帯性が向上する。
【００５２】
さらには、条件式（８）を満足する少なくとも２枚のレンズのうち、何れか２つのレンズは負レンズであることが好ましい。
【００５３】
光軸上での厚みが薄いので、レンズの薄型化と負の屈折力の確保の双方の両立に有利となる。
【００５４】
さらには、それら２つの負レンズがズームレンズ中の複数のレンズ群のうち同一のレンズ群Ａに含まれ且つ同一のレンズ群Ａ中に正レンズが配置されることがより好ましい。
【００５５】
同一のレンズ群Ａ内で複数の負レンズと少なくとも１つの正レンズを含む構成とすることで、レンズ群の小型化と性能の光学確保に有利となる。
【００５６】
また、同一のレンズ群Ａは負の屈折力のレンズ群であることが好ましい。
【００５７】
同一のレンズ群Ａを負の屈折力のレンズ群とすることで、軸上厚みの小さい複数の負レンズを用いることによる小型化、負屈折力確保のメリットを生かせ、小型化高性能化につながる。
【００５８】
同一のレンズ群Ａ中の２つの負レンズのうち一方が第１の負レンズ、他方が第２の負レンズであり、
以下の条件式（９）を満足することが好ましい。
１．７＜  （ｎｄＬＮ１＋ｎｄＬＮ２＋ｎｄＬＰ１）／３＜２．２    （９）
ただし、
ｎｄＬＮ１は、同一のレンズ群Ａ中の第１の負レンズのｄ線での屈折率、
ｎｄＬＮ２は、同一のレンズ群Ａ中の第２の負レンズのｄ線での屈折率、
ｎｄＬＰ１は、同一のレンズ群Ａ中の正レンズのｄ線での屈折率
である。
【００５９】
条件式（９）の下限値を下回らないように各レンズの屈折率の平均値を高くすることで、収差の低減に有利となる。
上限値を上回らないようにすることで、レンズ材料のコストの低減、加工性向上、高次の色収差の低減に有利となる。
【００６０】
同一のレンズ群Ａの像側に正屈折力のレンズ群Ｂが配置されることが好ましい。
【００６１】
正屈折力のレンズ群Ｂに変倍機能を持たせやすくなる。
【００６２】
さらには、同一のレンズ群Ａの物体側に正屈折力のレンズ群Ｃが配置されることがより好ましい。
【００６３】
負屈折力を持つ同一のレンズ群Ａの変倍機能を持たせやすくなる。
【００６４】
さらには、正屈折力のレンズ群Ｂの像側に更に正屈折力のレンズ群Ｄを有し、正屈折力のレンズ群Ｃを第１レンズ群とし、同一のレンズ群Ａを第２レンズ群とし、第１の正屈折力のレンズ群Ｂを第３レンズ群とし、正屈折力のレンズ群Ｄを第４レンズ群としたときに、物体側から順に、第１レンズ群、第２レンズ群、第３レンズ群、第４レンズ群の順で配置され、以下の条件式（１）、（２）を満足することがより好ましい。
０．２５  ＜  ｜ｆ１２Ｗ｜／ｆ４  ＜  ０．３４    （１）
０．２  ＜  ｜ｆ２｜／ｆ４  ＜  ０．２５            （２）
ただし、
ｆ１２Ｗは、広角端における第１レンズ群と第２レンズ群との合成系の焦点距離、
ｆ２は、第２レンズ群の焦点距離、
ｆ４は、第４レンズ群の焦点距離、
である。
【００６５】
条件式（１）、（２）の技術的意義は前述したとおりである。
【００６６】
また、上述のいずれかのズームレンズが、以下の条件式（１０）を満足することがより好ましい。
１．２  ＜  ｆ１／ｆ４  ＜  １．４    （１０）
ただし、
ｆ１は、第１レンズ群の焦点距離、
ｆ４は、第４レンズ群の焦点距離
である。
【００６７】
条件式（１０）の上限を上回らないように第１レンズ群の屈折力を確保することで、第２レンズ群で変倍機能を確保し易くなり、望遠端での全長の小型化やそれに付随する沈胴時の小型化につながる。
下限を下回らないようにして第１レンズ群の屈折力を抑えることで、第１レンズ群での収差低減につながる。
【００６８】
ズームレンズと、その像側に配置された撮像面を有する撮像素子を有する撮像装置にて、上述のいずれかのズームレンズを用いることが好ましい。
上述のズームレンズはテレセントリック性が良好であるので撮像面への光線の斜入射による影響を抑えられ、高画質の画像を得られる。
上述の構成は相互に複数を同時に満足することがより好ましい。
例えば上述の撮像装置の何れかにて上述のズームレンズの何れかを用いるようにしてもよい。
【００６９】
それぞれの条件式を個別に満足させるようにしてもそれぞれの効果を得やすくなり好ましい。
また、各条件式について、以下のように下限値、または上限値を変更することでその効果をいっそう確実にでき好ましい。
【００７０】
条件式（１）について
下限値を０．３、更には０．３１とすることがより好ましい。
上限値を０．３２とすることがより好ましい。
【００７１】
条件式（２）について
下限値を０．２２とすることがより好ましい。
上限値を０．２４、更には０．２３とすることがより好ましい。
【００７２】
条件式（３）について
下限値を０．３８、更には０．３９とすることがより好ましい。
上限値を０．４２、更には０．４１とすることがより好ましい。
【００７３】
条件式（４）について
下限値を４．３、更には４．５とすることがより好ましい。
上限値を更には４．６とすることがより好ましい。
【００７４】
条件式（５）について
下限値を０．２、更には０．２５とすることがより好ましい。
上限値を０．２９、更には０．２６とすることがより好ましい。
【００７５】
条件式（６）について
下限値を０．０８とすることがより好ましい。
【００７６】
条件式（７）について
下限値を０．９とすることがより好ましい。
上限値を１．１とすることがより好ましい。
【００７７】
条件式（８）について
下限値を０．０５とすることがより好ましい。
【００７８】
条件式（９）について
下限値を１．８とすることがより好ましい。
上限値を２．０とすることがより好ましい。
【００７９】
条件式（１０）について
下限値を１．２５とすることがより好ましい。
上限値を１．３５とすることがより好ましい。
【００８０】
条件式（Ａ）について
下限値を０．００１、更には０．００２とすることがより好ましい。
一方、面形状の加工を容易とするために上限値０．２を設け、これを上回らないようにすることが好ましい。
条件式（Ｂ）について、
下限値を−１．４、更には−１．３５、更には−１．３とすることがより好ましい。
上限値を−１．０３とすることがより好ましい。
条件式（Ｃ）について、
下限値を−３３とすることがより好ましい。
上限値を−３０とすることがより好ましい。
条件式（Ｄ）について、
下限値を０．０７とすることがより好ましい。
上限値を０．１０、更には０．０８とすることがより好ましい。
条件式（Ｅ）について、
下限値を７．０、更には７．５とすることがより好ましい。
上限値を１４．０、更には９．０とすることがより好ましい。
【発明の効果】
【００８１】
本発明によれば高変倍比を確保しても広角端での広画角化や小型化による携帯性の向上に有利なズームレンズを提供することができる。
更には、そのようなズームレンズを備えた撮像装置を提供することができる。
【図面の簡単な説明】
【００８２】
【図１】本発明のズームレンズの実施例１の無限遠物点合焦時の広角端（ａ）、望遠端（ｂ）でのレンズ断面図である。
【図２】本発明のズームレンズの実施例２の図１と同様の図である。
【図３】本発明のズームレンズの実施例３の図１と同様の図である。
【図４】本発明のズームレンズの実施例４の図１と同様の図である。
【図５】本発明のズームレンズの実施例５の図１と同様の図である。
【図６】本発明のズームレンズの実施例６の図１と同様の図である。
【図７】本発明のズームレンズの実施例７の図１と同様の図である。
【図８】本発明のズームレンズの実施例８の図１と同様の図である。
【図９】本発明のズームレンズの実施例９の図１と同様の図である。
【図１０】本発明のズームレンズの実施例１０の図１と同様の図である。
【図１１】実施例１の無限遠距離合焦時の収差図である。
【図１２】実施例２の無限遠距離合焦時の収差図である。
【図１３】実施例３の無限遠距離合焦時の収差図である。
【図１４】実施例４の無限遠距離合焦時の収差図である。
【図１５】実施例５の無限遠距離合焦時の収差図である。
【図１６】実施例６の無限遠距離合焦時の収差図である。
【図１７】実施例７の無限遠距離合焦時の収差図である。
【図１８】実施例８の無限遠距離合焦時の収差図である。
【図１９】実施例９の無限遠距離合焦時の収差図である。
【図２０】実施例１０の無限遠距離合焦時の収差図である。
【図２１】本発明のズームレンズを用いたカメラの概略断面図である。
【発明を実施するための形態】
【００８３】
以下に実施の形態におけるズームレンズ及びそれを備えた撮像装置について説明する。
【００８４】
いずれの実施形態も、上述のような工夫を施すことで、広い広角端画角をもち、変倍比を確保しつつ小型で、光学性能も良好な４群ズームレンズを提供している。
【００８５】
また、各実施例のズームレンズは、コンパクトなデジタルカメラやレンズ交換式のデジタルカメラの撮影レンズに用いると、広い広角端画角をもち、変倍比を確保しつつ小型で、光学性能の優れたデジタルカメラを構成できる。
【００８６】
以下に示す各実施例は、レンズ交換式、もしくはレンズ一体型のデジタルカメラのズームレンズおよびそれを備えた撮像装置の例である。実施例１〜１０においては、高い光学性能を持ち、かつ、コンパクト性に優れた高変倍ズームレンズとなっている。
【００８７】
以下、本発明のズームレンズの実施例１〜１０について説明する。実施例１〜１０の（ａ）無限遠物点合焦時の広角端、（ｂ）望遠端でのレンズ断面図をそれぞれ図１〜図１０に示す。
【００８８】
各図中、第１レンズ群はＧ１、第２レンズ群はＧ２、明るさ絞りはＳ、第３レンズ群はＧ３、第４レンズ群はＧ４、撮像素子としてのＣＣＤ（あるいはＣＭＯＳ等）の撮像面はＩで示してある。明るさ絞りは開口サイズが可変の開口部をもち、Ｆナンバーを変更可能としている。（後述する数値実施例のＦナンバーは変更可能の範囲での最小Ｆナンバーを示している。）ＣＣＤのカバーガラスは図１から１０及び後述する数値データでは省略し、後述する図２１の説明にて図示する。ローパスフィルターや赤外光吸収フィルターをバックフォーカス中に配置してもよい。
【００８９】
各実施例では、明るさ絞りＳが第３レンズ群Ｇ３の物体側直前に配置され、ズーミング時に第３レンズ群Ｇ３と一体で移動する。明るさ絞りＳの開口部の重心は第３レンズ群Ｇ３の媒質内に位置している。つまり、第３レンズ群Ｇ３の物体側面が明るさ絞りの開口部に入りこんだ凸面となっている。
明るさ絞りＳの直前や第３レンズ群Ｇ３中の空間などに図示しない開口部の面積が可変のメカシャッターや図２１の説明にて図示する挿脱可能なポリオレフィン系の材料のＮＤフィルターなどを配置して光量調整を行う構成としてもよい。
【００９０】
各実施例のレンズ構成について説明する。
第１レンズ群Ｇ１は、物体側から順に、物体側に凸面を向けた負メニスカスレンズと物体側に凸面を向けた正メニスカスレンズとを接合した接合レンズ、物体側に凸面を向けた正メニスカスレンズの単レンズからなり、合計３枚のレンズで構成される。
第２レンズ群Ｇ２は、物体側から順に、物体側に凸面を向けた負メニスカスレンズと、両凹負レンズと、両凸正レンズからなり、合計３枚の単レンズで構成される。
第３レンズ群Ｇ３は、物体側に凸面を向けた正メニスカスレンズの単レンズと、物体側に凸面を向けた負メニスカスレンズと物体側に凸面を向けた正メニスカスレンズとを接合した接合レンズからなり、合計３枚のレンズで構成される。
第４レンズ群Ｇ４は、両凸正レンズからなり、合計１枚のレンズで構成される。
【００９１】
次に、各実施例の非球面の位置について説明する。
第２レンズ群Ｇ２中の両凹負レンズは各実施例共に両面が非球面となっている。
第３レンズ群Ｇ３中の正メニスカスレンズの単レンズは物体側面が非球面となっている。
そのうち、実施例４、５、６における第３レンズ群中の正メニスカスレンズの単レンズは両面が非球面となっている。
加えて、第３レンズ群Ｇ３中の接合レンズの像側面は各実施例共に非球面となっている。
第４レンズ群Ｇ４中の両凸正レンズは非球面レンズとなっている。
そのうち、実施例８は像側面のみが非球面であり、他の実施例は両面が非球面となっている。
もちろん、本発明がこれらの非球面の配置に限定される必要はない。
【００９２】
次に、各実施例の広角端から望遠端への移動方式を示す。
第１レンズ群Ｇ１は、全実施例にて共通で常に物体側に移動する。
第２レンズ群Ｇ２は、全実施例にて共通で、先ず物体側に移動し、その後移動方向を反転させて像側に移動する。第２レンズ群Ｇ２は広角端よりも望遠端にて物体側に位置する。
第３レンズ群Ｇ３は、実施例により移動方式が異なる。
実施例１から６と８は、広角端から望遠端の際に常に物体側に移動する。
実施例７、９、１０は、先ず物体側に移動し、その後移動方向を反転させて像側に移動する。そして第３レンズ群Ｇ３は広角端よりも望遠端にて物体側に位置する。
第４レンズ群Ｇ４は、全実施例にて共通で、先ず像側に移動しその後移動方向を反転させて物体側に移動する。更にその後、移動方向を反転させて、像側に移動する。そして、第４レンズ群Ｇ４は、広角端よりも望遠端にて像側に位置する。
第１レンズ群Ｇ１と第２レンズ群Ｇ２との間隔、第３レンズ群Ｇ３と第４レンズ群Ｇ４との間隔は広角端から望遠端への変倍に際して常に拡大する。
第２レンズ群Ｇ２と第３レンズ群Ｇ３との間隔は広角端から望遠端への変倍に際して常に縮小する。
もちろん、これらの移動方式に本発明が限定される必要なない。種々の変更が可能である。例えば、第３レンズ群Ｇ３と第４レンズ群Ｇ４との間隔の変化が変倍途中にて一次的に減少するようにしても構わない。第１レンズ群Ｇ１、第２レンズ群Ｇ２が広角端から望遠端への変倍に際して先ず像側に移動する構成にしてもよい。
【００９３】
各実施例にて共通で第４レンズ群Ｇ４を物体側に移動させることで無限遠距離から至近距離へのフォーカシングを行う。
もちろん、他のレンズ群（例えば第１レンズ群Ｇ１）をフォーカシングレンズ群としてもよい。
また、最も像側のレンズに矩形形状黒色ペイントを施すことでゴーストの低減を行える。
また、撮像素子の直前のフィルターとして、特定波長域（例えば赤外線領域）での吸収率が高い材料を用い、且つ、フィルターの表面に特定波長域（例えば赤外線領域）の反射率が高いコートを施したハイブリッド構造とすることでもゴーストの低減に有利となる。
また、最も像側のレンズにマルチコートなどの反射低減コートを施してもよい。
最も像側のレンズをガラス材料としてコーティングを施すことによりゴーストの低減に有利となる。
【００９４】
以下、各実施例におけるレンズの数値データを示す。
実施例１〜１０は、広角端から望遠端への全ての変倍域にて像高が３．８８で一定の矩形の有効撮像領域としている。各実施例での条件式対応値は無限遠物点に合焦した状態での値である。
【００９５】
ズームデータは、広角端と望遠端でのデータのほかに、広角端から望遠端への変倍域における第１中間焦点距離状態（第１中間と記す）、第２中間焦点距離状態（第２中間と記す）、第３の中間焦点距離状態（第３中間と記す）も合わせて示している。
【００９６】
各実施例におけるレンズの数値データにおいては、ｒは各レンズ面の曲率半径、ｄは各レンズの肉厚または間隔、ｎｄは各レンズのｄ線における屈折率、νｄは各レンズのｄ線におけるアッベ数、Ｋは円錐係数、Ａ４、Ａ６、Ａ８、Ａ１０は非球面係数、ｅ±Ｎは×１０±Nをそれぞれ示している。
レンズ全長は、レンズの入射面から射出面までの光軸上の距離にバックフォーカスＢＦを加えたものである。バックフォーカスＢＦは、空気換算長で示している。
また、各非球面形状は、各実施例における各非球面係数を用いて、以下の式で表される。
Ｚ＝（Ｙ2／ｒ）／［１＋｛１−（１＋Ｋ）・（Ｙ／ｒ）2｝1/2］
＋Ａ４×Ｙ4＋Ａ６×Ｙ6＋Ａ８×Ｙ8＋Ａ１０×Ｙ10
ただし、光軸方向の座標をＺ、光軸と垂直な方向の座標をＹとする。
【００９７】
数値実施例１
変倍比 7.679
単位     ｍｍ
面データ
面番号                    ｒ         ｄ        ｎｄ      νｄ
1                 40.923      0.70     1.84666    23.78
2                 19.735      2.21     1.72916    54.68
3                220.044      0.10
4                 17.858      1.73     1.72916    54.68
5                 52.314      可変
6                 52.314      0.30     1.88300    40.76
7                  4.976      1.91
8（非球面）      -15.150      0.30     1.80490    40.81
9（非球面）        6.965      0.69
10                  9.437      1.31     1.94595    17.98
11               -274.180      可変
12（明るさ絞り）    ∞        -0.15
13（非球面）        4.000      1.27     1.69350    53.20
14                 24.654      0.98
15                 61.322      0.40     1.74077    27.76
16                  3.229      1.17     1.58313    59.38
17（非球面）      255.572      可変
18（非球面）       23.445      1.85     1.53071    55.70
19（非球面）      -18.092      可変
像面（撮像面）        ∞
非球面データ
第８面
K=0.000,A4=-7.72006e-04,A6=4.88018e-05,A8=-1.10336e-06,A10=7.20649e-09
第９面
K=0.000,A4=-1.05539e-03,A6=4.25808e-05,A8=9.79211e-07,A10=-7.70421e-08
第１３面
K=0.000,A4=-3.33021e-04,A6=-9.61234e-06,A8=5.00000e-07,A10=0.000
第１７面
K=0.000,A4=4.28328e-03,A6=1.98108e-04,A8=6.19852e-05,A10=0.000
第１８面
K=0.000,A4=4.15946e-04,A6=0.000,A8=0.000,A10=0.000
第１９面
K=0.000,A4=4.79494e-04,A6=-6.51602e-06,A8=7.13258e-08,A10=0.000
ズームデータ
広角端   第１中間   第２中間   第３中間     望遠端
焦点距離       4.48       7.18      11.70      20.10      34.39
Ｆナンバー     3.38       4.24       5.21       5.85       6.02
画角（２ω）  90.08      58.17      36.73      21.90      12.85
像高（ＩＨ）   3.88       3.88       3.88       3.88       3.88
無限遠距離合焦時
d5           0.28       2.37       5.30       9.35      13.24
d11          7.85       5.66       4.09       2.40       1.00
d17          3.49       7.94      12.33      14.84      15.66
d19          5.64       4.87       4.22       5.18       4.57
ＢＦ               5.64       4.87       4.22       5.18       4.57
レンズ全長        32.03      35.63      40.72      46.53      49.25
ズームレンズ群データ
群       始点     焦点距離
1         1        26.03
2         6        -4.61
3        13         8.15
4        18        19.54
【００９８】
数値実施例２
変倍比 7.680
単位     ｍｍ
面データ
面番号                    ｒ         ｄ        ｎｄ      νｄ
1                 43.469      0.70     1.84666    23.78
2                 20.250      2.17     1.72916    54.68
3                258.510      0.10
4                 17.161      1.77     1.72916    54.68
5                 48.639      可変
6                 48.639      0.30     1.88300    40.76
7                  4.966      1.91
8（非球面）      -15.373      0.30     1.80490    40.81
9（非球面）        6.765      0.71
10                  9.258      1.27     1.94595    17.98
11               -915.721      可変
12（明るさ絞り）    ∞        -0.15
13（非球面）        4.118      1.40     1.69350    53.20
14                 27.373      1.01
15                 41.265      0.40     1.74077    27.76
16                  3.153      1.14     1.58313    59.38
17（非球面）      405.529      可変
18（非球面）       30.982      1.85     1.53071    55.70
19（非球面）      -16.488      可変
像面（撮像面）        ∞
非球面データ
第８面
K=0.000,A4=-6.77064e-04,A6=4.31723e-05,A8=4.98034e-07,A10=-1.18569e-07
第９面
K=0.000,A4=-1.01070e-03,A6=5.94348e-05,A8=-2.45658e-07,A10=-1.10369e-07
第１３面
K=0.000,A4=-3.81605e-04,A6=-1.12348e-05,A8=5.00000e-07,A10=0.000
第１７面
K=0.000,A4=3.84313e-03,A6=1.92431e-04,A8=5.02667e-05,A10=0.000
第１８面
K=0.000,A4=2.83467e-04,A6=0.000,A8=0.000,A10=0.000
第１９面
K=0.000,A4=3.36725e-04,A6=-7.03093e-06,A8=1.00000e-07,A10=0.000
ズームデータ
広角端   第１中間   第２中間   第３中間     望遠端
焦点距離       4.48       7.16      11.70      19.90      34.40
Ｆナンバー     3.32       4.19       5.18       5.79       6.02
画角（２ω）  90.20      58.68      36.87      22.14      12.88
像高（ＩＨ）   3.88       3.88       3.88       3.88       3.88
無限遠距離合焦時
d5           0.28       2.00       4.88       9.01      13.01
d11          7.84       5.49       3.91       2.34       1.00
d17          3.52       7.89      12.41      14.79      15.89
d19          5.54       4.90       4.22       5.18       4.45
ＢＦ               5.54       4.90       4.22       5.18       4.45
レンズ全長        32.05      35.14      40.29      46.18      49.22
各群焦点距離
ズームレンズ群データ
群       始点     焦点距離
1         1        25.93
2         6        -4.54
3        13         8.01
4        18        20.55
【００９９】
数値実施例３
変倍比 7.678
単位     ｍｍ
面データ
面番号                    ｒ         ｄ        ｎｄ      νｄ
1                 42.791      0.70     1.84666    23.78
2                 20.136      2.16     1.72916    54.68
3                249.287      0.10
4                 17.511      1.75     1.72916    54.68
5                 50.430      可変
6                 50.430      0.30     1.88300    40.76
7                  4.966      1.91
8（非球面）      -15.806      0.30     1.80490    40.81
9（非球面）        6.941      0.69
10                  9.456      1.27     1.94595    17.98
11               -474.957      可変
12（明るさ絞り）    ∞        -0.15
13（非球面）        4.074      1.40     1.69350    53.20
14                 24.450      1.01
15                 42.784      0.40     1.74077    27.76
16                  3.193      1.10     1.58313    59.38
17（非球面）      405.529      可変
18（非球面）       29.109      1.85     1.53071    55.70
19（非球面）      -16.598      可変
像面（撮像面）        ∞
非球面データ
第８面
K=0.000,A4=-8.75357e-04,A6=3.88439e-05,A8=2.58760e-06,A10=-2.29541e-07
第９面
K=0.000,A4=-1.20530e-03,A6=4.76630e-05,A8=3.56052e-06,A10=-3.27440e-07
第１３面
K=0.000,A4=-3.65098e-04,A6=-1.10814e-05,A8=5.00000e-07,A10=0.000
第１７面
K=0.000,A4=4.08721e-03,A6=1.30182e-04,A8=6.78774e-05,A10=0.000
第１８面
K=0.000,A4=2.39177e-04,A6=0.000,A8=0.000,A10=0.000
第１９面
K=0.000,A4=2.99096e-04,A6=-7.39489e-06,A8=1.00000e-07,A10=0.000
ズームデータ
広角端   第１中間   第２中間   第３中間     望遠端
焦点距離       4.48       7.16      12.31      19.75      34.39
Ｆナンバー     3.32       4.25       5.25       5.77       6.01
画角（２ω）  90.18      58.98      35.04      22.25      12.87
像高（ＩＨ）   3.88       3.88       3.88       3.88       3.88
無限遠距離合焦時
d5           0.28       1.67       5.39       9.08      13.11
d11          7.91       5.46       3.84       2.43       1.00
d17          3.51       8.14      12.68      14.76      15.85
d19          5.56       4.90       4.23       5.04       4.49
ＢＦ               5.56       4.90       4.23       5.04       4.49
レンズ全長        32.05      34.96      40.94      46.10      49.24
ズームレンズ群データ
群       始点     焦点距離
1         1        26.06
2         6        -4.59
3        13         8.07
4        18        20.20
【０１００】
数値実施例４
変倍比 7.678
単位     ｍｍ
面データ
面番号                    ｒ         ｄ        ｎｄ      νｄ
1                 38.663      0.70     1.84666    23.78
2                 18.693      2.30     1.72916    54.68
3                173.192      0.10
4                 17.894      1.65     1.77250    49.60
5                 49.455      可変
6                 49.455      0.40     1.88300    40.76
7                  4.200      2.00
8（非球面）      -12.689      0.30     1.80610    40.92
9（非球面）       10.540      0.45
10                  9.987      1.25     1.94595    17.98
11                -72.121      可変
12（明るさ絞り）    ∞        -0.15
13（非球面）        4.622      1.60     1.72903    54.04
14（非球面）       38.238      0.60
15                 14.962      0.40     1.74000    28.30
16                  2.820      1.51     1.58313    59.38
17（非球面）       21.592      可変
18（非球面）       24.850      1.80     1.52542    55.78
19（非球面）      -18.029      可変
像面（撮像面）        ∞
非球面データ
第８面
K=0.000,A4=-5.84040e-04,A6=6.35121e-05,A8=-1.56673e-06,A10=-5.23868e-08
第９面
K=0.000,A4=-7.46223e-04,A6=8.77942e-05,A8=-2.72720e-06,A10=-1.36689e-08
第１３面
K=0.000,A4=-1.07466e-03,A6=-4.45638e-05,A8=-1.23980e-05,A10=0.000
第１４面
K=0.000,A4=-1.76786e-03,A6=-3.08437e-05,A8=-1.19289e-05,A10=0.000
第１７面
K=0.000,A4=4.23594e-03,A6=1.55776e-04,A8=,A10=2.34972e-05
第１８面
K=0.000,A4=-6.10465e-05,A6=-6.87396e-06,A8=0.000,A10=0.000
第１９面
K=0.000,A4=-6.89988e-05,A6=-2.07358e-05,A8=4.08940e-07,A10=0.000
ズームデータ
広角端   第１中間   第２中間   第３中間     望遠端
焦点距離       4.48       7.72      11.99      20.45      34.39
Ｆナンバー     3.41       4.66       5.39       5.69       6.10
画角（２ω）  89.60      55.73      36.19      21.62      12.90
像高（ＩＨ）   3.88       3.88       3.88       3.88       3.88
無限遠距離合焦時
d5           0.30       1.41       4.93       9.72      13.04
d11          7.90       5.07       3.81       2.24       0.95
d17          3.00       9.13      12.28      13.20      15.20
d19          5.88       4.93       4.67       5.71       4.30
ＢＦ               5.88       4.93       4.67       5.71       4.30
レンズ全長        31.99      35.44      40.59      45.77      48.39
ズームレンズ群データ
群       始点     焦点距離
1         1        25.60
2         6        -4.68
3        13         8.14
4        18        20.18
【０１０１】
数値実施例５
変倍比 7.679
単位     ｍｍ
面データ
面番号                    ｒ         ｄ        ｎｄ      νｄ
1                 38.389      0.70     1.84666    23.78
2                 18.720      2.30     1.72916    54.68
3                174.162      0.10
4                 17.763      1.65     1.77250    49.60
5                 48.728      可変
6                 48.728      0.38     1.88300    40.76
7                  4.200      2.00
8（非球面）      -12.370      0.30     1.80610    40.92
9（非球面）       10.282      0.45
10                 10.030      1.25     1.94595    17.98
11                -61.462      可変
12（明るさ絞り）    ∞        -0.15
13（非球面）        4.662      1.48     1.72903    54.04
14（非球面）       40.611      0.56
15                 14.869      0.40     1.74000    28.30
16                  2.820      1.50     1.58313    59.38
17（非球面）       21.900      可変
18（非球面）       24.473      1.80     1.52542    55.78
19（非球面）      -17.580      可変
像面（撮像面）        ∞
非球面データ
第８面
K=0.000,A4=-5.76003e-04,A6=5.61105e-05,A8=-2.90414e-06,A10=7.15536e-08
第９面
K=0.000,A4=-7.93734e-04,A6=8.63973e-05,A8=-5.06571e-06,A10=1.89661e-07
第１３面
K=0.000,A4=-1.68575e-03,A6= -2.22584e-05,A8=-4.81539e-05,A10=1.69955e-06
第１４面
K=0.000,A4=-2.78536e-03,A6=-1.04604e-04,A8=-2.55778e-05,A10=0.000
第１７面
K=0.000,A4=4.69268e-03,A6=2.25015e-04,A8=1.83012e-05,A10=0.000
第１８面
K=0.000,A4=-2.33512e-05,A6=-6.87396e-06,A8=0.000,A10=0.000
第１９面
K=0.000,A4=-1.58478e-06,A6=-2.07358e-05,A8=4.08940e-07,A10=0.000
ズームデータ
広角端   第１中間   第２中間   第３中間     望遠端
焦点距離       4.48       7.62      11.72      20.35      34.39
Ｆナンバー     3.46       4.65       5.39       5.70       6.10
画角（２ω）  89.61      56.03      36.85      21.65      12.85
像高（ＩＨ）   3.88       3.88       3.88       3.88       3.88
無限遠距離合焦時
d5           0.30       1.69       4.92       9.73      13.06
d11          7.87       5.23       3.90       2.23       0.95
d17          3.31       9.18      12.28      13.28      15.23
d19          5.85       4.85       4.69       5.82       4.30
ＢＦ               5.85       4.85       4.69       5.82       4.30
レンズ全長        32.05      35.67      40.51      45.78      48.26
ズームレンズ群データ
群       始点     焦点距離
1         1        25.41
2         6        -4.66
3        13         8.19
4        18        19.76
【０１０２】
数値実施例６
変倍比 7.671
単位     ｍｍ
面データ
面番号                    ｒ         ｄ        ｎｄ      νｄ
1                 38.494      0.70     1.84666    23.78
2                 18.424      2.30     1.72916    54.68
3                174.535      0.10
4                 18.541      1.65     1.77250    49.60
5                 56.114      可変
6                 56.114      0.38     1.88300    40.76
7                  4.358      1.98
8（非球面）      -12.107      0.30     1.80610    40.92
9（非球面）        9.729      0.45
10                  9.833      1.25     1.94595    17.98
11                -61.737      可変
12（明るさ絞り）    ∞        -0.15
13（非球面）        4.553      1.50     1.72903    54.04
14（非球面）       33.072      0.58
15                 15.300      0.40     1.74000    28.30
16                  2.810      1.50     1.58313    59.38
17（非球面）       23.559      可変
18（非球面）       22.066      1.80     1.52542    55.78
19（非球面）      -18.930      可変
像面（撮像面）        ∞
非球面データ
第８面
K=0.000,A4=-3.70895e-04,A6=8.13149e-05,A8=-7.28619e-06,A10=1.96038e-07
第９面
K=0.000,A4=-6.62356e-04,A6=1.40568e-04,A8=-1.43723e-05,A10=5.60694e-07
第１３面
K=0.000,A4=-1.69801e-03,A6=-1.06464e-04,A8=-2.07738e-05,A10=0.000
第１４面
K=0.000,A4=-2.78564e-03,A6=-1.70970e-04,A8=,A10=-5.21132e-06
第１７面
K=0.000,A4=4.71618e-03,A6=2.98438e-04,A8=-9.52536e-07,A10=0.000
第１８面
K=0.000,A4=-1.04154e-04,A6=-6.87396e-06,A8=0.000,A10=0.000
第１９面
K=0.000,A4=-6.90074e-05,A6=-2.07358e-05,A8=4.08940e-07,A10=0.000
ズームデータ
広角端   第１中間   第２中間   第３中間     望遠端
焦点距離       4.48       7.70      11.72      20.39      34.39
Ｆナンバー     3.46       4.64       5.37       5.69       6.10
画角（２ω）  89.41      55.22      36.63      21.40      12.74
像高（ＩＨ）   3.88       3.88       3.88       3.88       3.88
無限遠距離合焦時
d5           0.30       1.78       4.91       9.79      13.04 
d11          7.88       5.18       3.91       2.28       0.95 
d17          3.31       9.12      12.23      13.27      15.24 
d19          5.78       4.89       4.67       5.67       4.36 
ＢＦ               5.78       4.89       4.67       5.67       4.36
レンズ全長        32.00      35.70      40.45      45.74      48.33
ズームレンズ群データ
群       始点     焦点距離
1         1        25.42
2         6        -4.66
3        13         8.16
4        18        19.69
【０１０３】
数値実施例７
変倍比 7.679
単位     ｍｍ
面データ
面番号                    ｒ         ｄ        ｎｄ      νｄ
1                 38.511      0.70     1.84666    23.78
2                 18.454      2.30     1.72916    54.68
3                194.513      0.10
4                 18.573      1.65     1.77250    49.60
5                 54.421      可変
6                 54.421      0.37     1.88300    40.76
7                  4.268      1.96
8（非球面）      -12.631      0.30     1.80610    40.92
9（非球面）        9.860     0.45
10                  9.876      1.25     1.94595    17.98
11                -63.656      可変
12（明るさ絞り）    ∞        -0.15
13（非球面）        4.184      1.46     1.72903    54.04
14                 17.326      0.63
15                 18.052      0.40     1.74000    28.30
16                  2.861      1.54     1.58313    59.38
17（非球面）       44.580      可変
18（非球面）       19.500      1.80     1.52542    55.78
19（非球面）      -21.392      可変
像面（撮像面）        ∞
非球面データ
第８面
K=0.000,A4=-4.09226e-04,A6=6.34122e-05,A8=-7.85199e-06,A10=4.80326e-07
第９面
K=0.000,A4=-6.07347e-04,A6=7.89944e-05,A8=-7.92708e-06,A10=5.25157e-07
第１３面
K=0.000,A4=-1.96114e-04,A6=-2.95945e-05,A8=1.83443e-06,A10=0.000
第１７面
K=0.000,A4=3.69952e-03,A6=1.95268e-04,A8=2.77399e-05,A10=0.000
第１８面
K=0.000,A4=-1.60120e-04,A6=-6.87396e-06,A8=0.000,A10=0.000
第１９面
K=0.000,A4=-1.23694e-04,A6=-2.07358e-05,A8=4.08940e-07,A10=0.000
ズームデータ
広角端   第１中間   第２中間   第３中間     望遠端
焦点距離       4.48       7.75      11.70      20.54      34.39
Ｆナンバー     3.48       4.59       5.37       5.88       6.10
画角（２ω）  89.21      54.32      36.64      21.25      12.71
像高（ＩＨ）   3.88       3.88       3.88       3.88       3.88
無限遠距離合焦時
d5           0.30       2.39       4.99       9.61      13.13 
d11          7.89       5.28       3.87       2.28       0.95 
d17          3.31       8.73      12.03      14.03      15.13 
d19          5.74       4.91       4.83       5.48       4.36 
ＢＦ               5.74       4.91       4.83       5.48       4.36
レンズ全長        32.01      36.08      40.49      46.16      48.34
ズームレンズ群データ
群       始点     焦点距離
1         1        25.45
2         6        -4.66
3        13         8.19
4        18        19.71
【０１０４】
数値実施例８
変倍比 7.686
単位     ｍｍ
面データ
面番号                    ｒ         ｄ        ｎｄ      νｄ
1                 44.718      0.70     1.84666    23.78
2                 20.044      2.25     1.72916    54.68
3                411.851      0.10
4                 18.238      1.67     1.77250    49.60
5                 51.283      可変
6                 51.283      0.30     1.88300    40.76
7                  4.801      1.90
8（非球面）      -15.754      0.30     1.80490    40.81
9（非球面）        7.449      0.67
10                  9.436      1.29     1.94595    17.98
11              -1560.337      可変
12（明るさ絞り）    ∞        -0.15
13（非球面）        4.249      1.25     1.69350    53.20
14                 32.074      1.10
15                 32.262      0.40     1.74077    27.76
16                  3.216      1.18     1.58313    59.38
17（非球面）       71.501      可変
18                 21.455      1.85     1.53071    55.70
19（非球面）      -19.921      可変
像面（撮像面）        ∞
非球面データ
第８面
K=0.000,A4=-1.86991e-04,A6=-8.41011e-05,A8=1.36180e-05,A10=-5.85128e-07
第９面
K=0.000,A4=-3.74748e-04,A6=-1.06392e-04,A8=2.06266e-05,A10=-9.74844e-07
第１３面
K=0.000,A4=-2.97587e-04,A6=-1.25578e-05,A8=5.00000e-07,A10=0.000
第１７面
K=0.000,A4=3.59685e-03,A6=2.06353e-04,A8=3.46210e-05,A10=0.000
第１９面
K=0.000,A4=5.04902e-05,A6=-1.09401e-05,A8=2.68045e-07,A10=0.000
ズームデータ
広角端   第１中間   第２中間   第３中間     望遠端
焦点距離       4.48       7.16      11.70      20.10      34.44
Ｆナンバー     3.44       4.31       5.17       5.86       6.10
画角（２ω）  89.95      58.15      36.46      21.76      12.75
像高（ＩＨ）   3.88       3.88       3.88       3.88       3.88
無限遠距離合焦時
d5           0.28       2.36       5.59       9.45      13.26 
d11          7.85       5.69       4.01       2.36       1.02 
d17          3.49       7.94      11.66      14.48      15.64 
d19          5.65       4.88       4.73       5.46       4.51 
ＢＦ               5.65       4.88       4.73       5.46       4.51
レンズ全長        32.08      35.68      40.80      46.56      49.24
各群焦点距離
ズームレンズ群データ
群       始点     焦点距離
1         1        25.82
2         6        -4.60
3        13         8.17
4        18        19.77
【０１０５】
数値実施例９
変倍比 7.674
単位     ｍｍ
面データ
面番号                    ｒ         ｄ        ｎｄ      νｄ
1                 43.231      0.70     1.84666    23.78
2                 20.389      2.18     1.72916    54.68
3                316.659      0.10
4                 17.606      1.69     1.72916    54.68
5                 50.286      可変
6                 50.286      0.30     1.88300    40.76
7                  4.945      1.86
8（非球面）      -15.098      0.30     1.80490    40.81
9（非球面）        7.155      0.70
10                  9.403      1.29     1.94595    17.98
11              -1215.866      可変
12（明るさ絞り）    ∞        -0.15
13（非球面）        4.182      1.24     1.69350    53.20
14                 26.573      1.13
15                 36.699      0.40     1.74077    27.76
16                  3.239      1.19     1.58313    59.38
17（非球面）      183.542      可変
18（非球面）       24.295      1.85     1.53071    55.70
19（非球面）      -17.542      可変
像面（撮像面）        ∞
非球面データ
第８面
K=0.000,A4=-7.23941e-04,A6=6.88620e-05,A8=-7.67332e-07,A10=-9.02970e-08
第９面
K=0.000,A4=-9.18743e-04,A6=4.78455e-05,A8=5.05804e-06,A10=-4.21452e-07
第１３面
K=0.000,A4=-3.53985e-04,A6=-1.50812e-05,A8=5.00000e-07,A10=0.000
第１７面
K=0.000,A4=3.53665e-03,A6=2.45405e-04,A8=2.83855e-05,A10=0.000
第１８面
K=0.000,A4=1.95648e-04,A6=0.000,A8=0.000,A10=0.000
第１９面
K=0.000,A4=2.21492e-04,A6=-4.33938e-06,A8=3.37844e-08,A10=0.000
ズームデータ
広角端   第１中間   第２中間   第３中間     望遠端
焦点距離       4.48       7.19      12.30      20.10      34.39
Ｆナンバー     3.41       4.28       5.35       6.00       6.05
画角（２ω）  89.89      58.11      34.97      21.89      12.83
像高（ＩＨ）   3.88       3.88       3.88       3.88       3.88
無限遠距離合焦時
d5           0.28       2.37       5.64       9.12      13.26 
d11          7.85       5.66       3.97       2.41       1.02 
d17          3.48       7.94      12.78      15.39      15.64 
d19          5.65       4.90       4.17       5.0       4.568 
ＢＦ               5.65       4.90       4.17       5.08       4.56
レンズ全長        32.05       35.66     41.34      46.78      49.26
各群焦点距離
ズームレンズ群データ
群       始点     焦点距離
1         1        25.93
2         6        -4.60
3        13         8.17
4        18        19.49
【０１０６】
数値実施例１０
変倍比 7.679
単位     ｍｍ
面データ
面番号                    ｒ         ｄ        ｎｄ      νｄ
1                 43.343      0.70     1.84666    23.78
2                 20.444      2.18     1.72916    54.68
3                304.501      0.10
4                 17.591      1.69     1.72916    54.68
5                 50.627      可変
6                 50.627      0.30     1.88300    40.76
7                  4.957      1.86
8（非球面）      -15.210      0.30     1.80490    40.81
9（非球面）        7.136      0.70
10                  9.481      1.29     1.94595    17.98
11               -749.491      可変
12（明るさ絞り）    ∞        -0.15
13（非球面）        4.186      1.24     1.69350    53.20
14                 26.529      1.14
15                 36.340      0.40     1.74077    27.76
16                  3.250      1.19     1.58313    59.38
17（非球面）      191.909      可変
18（非球面）       24.179      1.85     1.53071    55.70
19（非球面）      -17.711      可変
像面（撮像面）        ∞
非球面データ
第８面
K=0.000,A4=-6.70000e-04,A6=7.18000e-05,A8=-5.10000e-07,A10=-1.76921e-07
第９面
K=0.000,A4=-8.82272e-04,A6=4.68940e-05,A8=7.13773e-06,A10=-6.94415e-07
第１３面
K=0.000,A4=-4.05229e-04,A6=-1.43659e-06,A8=5.00000e-07,A10=0.000
第１７面
K=0.000,A4=3.59330e-03,A6=1.84052e-04,A8=4.65187e-05,A10=0.000
第１８面
K=0.000,A4=1.92496e-04,A6=0.000,A8=0.000,A10=0.000
第１９面
K=0.000,A4=2.28534e-04,A6=-6.63740e-06,A8=1.10000e-07,A10=0.000
ズームデータ
広角端   第１中間   第２中間   第３中間     望遠端
焦点距離       4.48       7.18      12.30      20.11      34.39
Ｆナンバー     3.39       4.26       5.32       5.97       6.02
画角（２ω）  89.97      58.15      35.00      21.90      12.84
像高（ＩＨ）   3.88       3.88       3.88       3.88       3.88
無限遠距離合焦時
d5           0.28       2.37       5.64       9.13      13.26 
d11          7.85       5.67       3.97       2.41       1.02 
d17          3.49       7.94      12.78      15.39      15.64 
d19          5.64       4.88       4.14       5.03       4.51 
ＢＦ               5.64       4.88       4.14       5.03       4.51
レンズ全長        32.04      35.64      41.30      46.73      49.21
ズームレンズ群データ
群       始点     焦点距離
1         1        25.93
2         6        -4.60
3        13         8.16
4        18        19.56
【０１０７】
以上の実施例１〜１０の無限遠距離合焦時の収差図をそれぞれ図１０から図２０に示す。これらの収差図において、（ａ）は広角端、（ｂ）は第２中間焦点距離状態、（ｃ）は望遠端における球面収差ＳＡ、非点収差ＡＳ、歪曲収差ＤＴ、倍率色収差ＣＣを示す。なお、各収差図中、“ＩＨ”は像高を表す。
【０１０８】
次に、上記各実施例における条件式（１）〜（１０）、（Ａ）〜（Ｄ）の対応値を示す。
条件式               実施例１    実施例２    実施例３    実施例４    実施例５  
（１）                0.327       0.306       0.315       0.323       0.328 
（２）                0.236       0.221       0.227       0.232       0.236 
（３）                0.417       0.390       0.399       0.403       0.414 
（４）                4.362       4.588       4.509       4.504       4.411 
（５）                0.256       0.255       0.258       0.145       0.141 
（６）                0.094       0.092       0.093       0.082       0.082 
（７）                 1.00        1.00        1.00        1.00        1.00 
（８）                0.077       0.077       0.077       0.103       0.099 
（９）                1.878       1.878       1.878       1.878       1.878 
（１０）                1.332       1.262       1.290       1.269       1.286 
（Ａ）                0.007       0.008       0.007       0.001       0.002
（Ｂ）               -1.026      -1.016      -1.016      -1.300      -1.296 
（Ｃ）                -31.6       -31.6       -31.6       -31.1       -31.1
（Ｄ）                0.072       0.072       0.072       0.077       0.077
（Ｅ）                7.679       7.680       7.678       7.678       7.679
【０１０９】
条件式               実施例６    実施例７    実施例８    実施例９    実施例１０
（１）                0.329       0.328       0.321       0.326       0.325 
（２）                0.237       0.236       0.233       0.236       0.235 
（３）                0.414       0.416       0.413       0.419       0.417 
（４）                4.391       4.400       4.411       4.349       4.367 
（５）                0.145       0.157       0.280       0.286       0.286 
（６）                0.082       0.083       0.093       0.094       0.094 
（７）                 1.00        1.00        1.00        1.00        1.00 
（８）                0.098       0.097       0.077       0.077       0.077 
（９）                1.878       1.878       1.878       1.878       1.878 
（１０）                1.291       1.291       1.306       1.330       1.325 
（Ａ）                0.004       0.003       0.003       0.007       0.008 
（Ｂ）               -1.271      -1.137      -1.094      -1.036      -1.034 
（Ｃ）                -31.1       -31.1       -31.6       -31.6       -31.6
（Ｄ）                0.077       0.077       0.072       0.072       0.072
（Ｅ）                7.671       7.679       7.686       7.674       7.679
【０１１０】
各実施例にて、以下の構成としてもよい。
【０１１１】
上述の各実施例のズームレンズは矩形の光電変換面（撮像面）上に広角端では樽型の歪曲収差が発生した像が形成される。一方、中間焦点距離状態付近や望遠端では歪曲収差の発生が抑えられる。広角端付近で発生する歪曲収差を画像処理で補正するために、有効撮像領域を、広角端では樽型形状とし、中間焦点距離状態や望遠端では矩形の形状となるようにしてもよい。その場合、あらかじめ設定した有効撮像領域を画像処理により画像変換し、歪みを低減させた矩形の画像情報に変換する。そのため、広角端での像高ＩＨｗは、中間焦点距離状態の像高ＩＨｓや望遠端での像高ＩＨｔよりも小さくなる。
また、このような構成とすれば、第１レンズ群の有効径がいっそう小さくなるので、小径化に有利となる。
【０１１２】
また、ズームレンズにより撮影された画像の電気信号を、画像処理により倍率色収差による色のずれを補正した画像信号に変換する画像変換部を有することが好ましい。ズームレンズの倍率色収差を電気的に補正することで、より良好な画像を得ることができるようになる。
倍率色収差はズーム状態、フォーカス状態によって変化するが、各レンズポジション（ズーム状態、フォーカス状態）ごとに、第１原色からの第２原色及び第３原色のずれ量を補正データとして記憶保持装置に記憶させておくとよい。ズームポジションに応じて、この補正データを参照することで、第１原色信号に対する第２及び第３原色のずれを補正した第２及び第３原色信号を出力することができる。
【０１１３】
またゴースト、フレア等の不要光をカットするために、明るさ絞り以外にフレア絞りを任意に配置してもよい。
第１レンズ群の物体側、第１、２レンズ群間、最も像面側の群から像面間のいずれの場所に配置しても良い。
枠部材によりフレア光線をカットするように構成しても良いし、別の部材を構成しても良い。また光学系に直接印刷しても塗装してもシールなどを接着してもかまわない。またその形状は円形、楕円形、矩形、多角形、関数曲線で囲まれる範囲等、いかなる形状でもかまわない。また不要光束をカットするだけでなく画面周辺のコマフレア等の光束をカットしても良い。
【０１１４】
また、各レンズの空気接触面や接合面に反射防止コートを行い、ゴースト、フレアを軽減してもかまわない。マルチコートであれば効果的にゴースト、フレアを軽減できるので望ましい。２層あるいはそれ以上の膜数のコート材や膜厚を適宜組み合わせることで、更なる反射率の低減や、反射率の分光特性・角度特性等のコントロールなどを行うことが可能となる。また、使用波長レベルの凹凸パターンによる反射防止構造をレンズ表面に形成してもよい。また赤外カットコートをレンズ面、カバーガラス等に行ってもよい。
【０１１５】
図２１（ａ）、（ｂ）は、本発明のズームレンズを用い、撮像素子として小型のＣＣＤ又はＣ−ＭＯＳ、特に裏面照射型のＣ−ＭＯＳ等を用いたレンズ一体型のデジタルカメラの概略断面図である。図２１（ａ）は使用状態（図では広角端使用状態）の概略図、図２１（ｂ）はズームレンズが沈胴状態の概略図である。
図２１（ａ）、（ｂ）において、１はカメラ、２は変倍機構と合焦機構を備えた鏡筒内に配置された本発明に基づく撮影レンズ系である。
また、３は撮像素子面（撮像面）Ｉを持つ撮像素子である。撮影レンズ系２と撮像素子面３との間には、振動により埃を振り払う防塵フィルター、赤外カットフィルター、ローパスフィルターなどのフィルター類Ｆ、撮像面を保護するカバーガラスＣが配置される。
第３レンズ群Ｇ３と第４レンズ群Ｇ４の間には、露出制御のため挿入及び退避が可能なポリオレフィン系のＮＤフィルターＮＤが配置される。ズーミングに際しては、第３レンズ群と一体で移動することでＮＤフィルターの有効径を小さくしている。
【０１１６】
このような構成のカメラ１の撮影レンズ系２として、例えば上記実施例１に示した本発明のズームレンズが用いられる。
【０１１７】
各実施例のズームレンズは、各レンズ群がそれぞれ独立に移動して広角端から望遠端へのズーミングが可能である。加えて、第３レンズ群Ｇ３は、レンズ沈胴時には、図２１（ａ）中の矢印の軌跡をたどり、図２１（ｂ）のように他のレンズ群の光軸から逸れて沈胴するように構成できる。
加えて、レンズ沈胴時には、ポリオレフィン系のＮＤフィルターＮＤは第３レンズ群Ｇ３が退避する方向とは逆側に退避する。第３レンズ群Ｇ３と一体で退避するようにしてもよい。
【０１１８】
また、各実施例のズームレンズは、レンズ交換式デジタルカメラの交換レンズとすることもできる。広い画角が必要な監視カメラに適用してもよい。
【符号の説明】
【０１１９】
Ｇ１…第１レンズ群
Ｇ２…第２レンズ群
Ｇ３…第３レンズ群
Ｇ４…第４レンズ群
Ｓ…明るさ絞り
Ｉ…像面（撮像面）
１…カメラ
２…撮影レンズ系
３…撮像素子
Ｆ・・・フィルター類
Ｃ・・・カバーガラス
ＮＤ・・・ポリオレフィン系ＮＤフィルター
【図１】
0005872791.tif 000002
【図２】
0005872791.tif 000003
【図３】
0005872791.tif 000004
【図４】
0005872791.tif 000005
【図５】
0005872791.tif 000006
【図６】
0005872791.tif 000007
【図７】
0005872791.tif 000008
【図８】
0005872791.tif 000009
【図９】
0005872791.tif 000010
【図１０】
0005872791.tif 000011
【図１１】
0005872791.tif 000012
【図１２】
0005872791.tif 000013
【図１３】
0005872791.tif 000014
【図１４】
0005872791.tif 000015
【図１５】
0005872791.tif 000016
【図１６】
0005872791.tif 000017
【図１７】
0005872791.tif 000018
【図１８】
0005872791.tif 000019
【図１９】
0005872791.tif 000020
【図２０】
0005872791.tif 000021
【図２１】
0005872791.tif 000022